(57)【要約】【課題】ＭＩＭＯ通信等において、同時刻に送信されるビット間の相関情報の喪失による受信特性の劣化を抑制できるようにする。【解決手段】複数の送信アンテナの一部又は全部から同時刻に送信すべきデータビットの組み合わせ（ｂ１，ｂ２）を１グループとして送信データストリームをグループ化し、当該グループ（ビット組み合わせ）単位で、ビット繰り返し処理及び再送処理の少なくともいずれかを含む送信処理を行なうようにする。【選択図】図１
2008028750.tif 000002
【特許請求の範囲】
【請求項１】
複数の送信アンテナと、前記複数の送信アンテナの一部又は全部から同時刻に送信すべきデータビットの組み合わせを１グループとして送信データストリームをグループ化する同時送信ビットグループ化手段と、該同時送信ビットグループ化手段によりグループ化されたビット組み合わせ単位で、ビット繰り返し処理及び再送処理の少なくともいずれかを含む送信処理を行なう送信処理手段とを具備する送信機と、
該送信機の前記送信アンテナから送信された信号を受信するための複数の受信アンテナと、該受信アンテナで受信された受信信号について前記グループ毎の尤度を求める尤度算出手段と、該尤度算出手段で求められた尤度を合成することにより前記グループ単位でのビット繰り返し合成処理及び再送合成処理の少なくともいずれかを含む受信処理を行なう受信処理手段とを具備する受信機とをそなえて構成されたことを特徴とする、通信システム。
【請求項２】
複数の送信アンテナを有する送信機と、複数の受信アンテナを有する受信機とをそなえた通信システムにおいて、
該送信機が、
前記複数の送信アンテナの一部又は全部から同時刻に送信すべきデータビットの組み合わせを１グループとして送信データストリームをグループ化し、
そのグループ化したビット組み合わせ単位で、ビット繰り返し処理及び再送処理の少なくともいずれかを含む送信処理を行ない、
該受信機が、
該受信アンテナで受信された受信信号について前記グループ毎の尤度を求め、
求められた尤度を合成することにより前記グループ単位でのビット繰り返し合成処理及び再送合成処理の少なくともいずれかを含む受信処理を行なうことを特徴とする、通信方法。
【請求項３】
複数の送信アンテナと、
前記複数の送信アンテナの一部又は全部から同時刻に送信すべきデータビットの組み合わせを１グループとして送信データストリームをグループ化する同時送信ビットグループ化手段と、
該同時送信ビットグループ化手段によりグループ化されたビット組み合わせ単位で、ビット繰り返し処理及び再送処理の少なくともいずれかを含む送信処理を行なう送信処理手段とをそなえたことを特徴とする、送信機。
【請求項４】
該同時送信ビットグループ化手段が、
前記送信データストリームの複数ビットで１シンボルを送信する際の当該シンボル内の信頼度の高低に応じたビット集合を前記グループとしてグループ化するように構成されたことを特徴とする、請求項３記載の送信機。
【請求項５】
複数の送信アンテナの一部又は全部から同時刻に送信すべきデータビットの組み合わせを１グループとして送信データストリームをグループ化した上で、当該グループ化されたビット組み合わせ単位で、ビット繰り返し処理及び再送処理の少なくともいずれかを含む送信処理を行なう送信機から送信された信号を受信する受信機であって、
前記信号を受信するための複数の受信アンテナと、
該受信アンテナで受信された受信信号について前記グループ毎の尤度を求める尤度算出手段と、
該尤度算出手段で求められた尤度を合成することにより前記グループ単位でのビット繰り返し合成処理及び再送合成処理の少なくともいずれかを含む受信処理を行なう受信処理手段とをそなえたことを特徴とする、受信機。
【発明の詳細な説明】
【技術分野】
【０００１】
本発明は、通信システム及び通信方法並びに送信機及び受信機に関し、例えば、ＭＩＭＯ（Multiple-Input Multiple-Output）方式による無線通信技術に用いて好適な技術に関する。
【背景技術】
【０００２】
近年、周波数帯域を有効利用して大容量（高速）のデータ通信を可能とする技術として、ＭＩＭＯが注目されている。ＭＩＭＯは、送受信双方に複数アンテナを用いて、即ち、複数アンテナを有する送信機及び複数アンテナを有する受信機を用いて、送信機の複数アンテナから独立したデータストリームを送信し、受信機の各受信アンテナで受信される信号から、伝播路上で混ざり合った複数の送信信号（データストリーム）を、伝播路（チャネル）推定値を用いて個々に分離することで、周波数帯域の拡大を必要とすることなく伝送レートを向上させる技術である。
【０００３】
図１３はＭＩＭＯ通信方式を採用した送信機（ＭＩＭＯ送信機）の一例を示すブロック図で、この図１３に示す送信機は、その要部に着目すると、例えば、誤り訂正符号化部１０１、ビット毎の第１レートマッチング部１０２、メモリ（再送用データ保存部）１０３、ビット毎の第２レートマッチング部１０４、シンボル毎のグループ化部１０５、アンテナ分離部１０６、送信アンテナ（図示省略）毎の変調部１０７とをそなえて構成されている。
【０００４】
そして、かかる構成を有する送信機において、送信データは、誤り訂正符号化部１０１にて誤り訂正符号化され、第１レートマッチング部１０２にて、メモリ１０３の所定の領域に収まるデータ量となるように、パンクチャ（間引き）処理やレペテション（ビット繰り返し）処理等のデータ量調整（レートマッチング）処理をビット単位で施された上で、ＨＡＲＱ(Hybrid Automatic Repeat reQuest）等の再送制御に備えてメモリ１０３に記憶される。なお、再送制御を行なわないシステム等、当該メモリ１０３は不要な場合もある。
【０００５】
メモリ１０３から読み出されたデータ（再送データを含む）は、さらに第２レートマッチング部１０４にて、所定の送信フレーム内に収容可能なデータ量となるように、上記と同様のレートマッチング処理をビット単位で施された後、グループ化部１０５にて、変調方式（ＱＰＳＫや１６ＱＡＭ等）に応じてマッピングされるべきシンボル毎にグループ化されて、アンテナ分離部１０６を通じて各変調部１０７に入力される。
【０００６】
変調部１０７では、それぞれ、入力データを所定の変調方式で変調して対応する送信アンテナ（送信アンテナ＃１，＃２）へ出力する。これにより、変調データは、それぞれ、送信アンテナ＃１，＃２から受信機（図示省略）に向けて空間へ放射される。
つまり、図１３に示す送信機では、送信直前にシンボルをアンテナ分離部１０６にて各送信アンテナ＃１，＃２に振り分けている。
【０００７】
この場合、前記のレペテション処理、再送制御における繰り返しビットや再送ビットと同時刻に送信されるビットとの組み合わせに制限（決まり）がないため、例えば図１５に模式的に示すように、繰り返しビットあるいは再送ビット（ｂ１）は、時刻Ｔ１と時刻Ｔ２とで、異なるビット（ｂ２，ｂ３）との組み合わせで各送信アンテナ＃１，＃２から同時刻に送信されることになる。つまり、図１５では、繰り返しビットあるいは再送ビットｂ１は、時刻Ｔ１ではビットｂ２と同時に送信され、その後の時刻Ｔ２では異なるビットｂ３と同時にされる。なお、ｂｉ（ｉ＝１，２，…）は１か−１の値をとる。
【０００８】
このことは、送信ストリーム毎に伝送レートを制御するＭＩＭＯ方式の送信機の場合、即ち、例えば図１４に示すように、既述の誤り訂正符号化部１０１、ビット毎の第１レートマッチング部１０２、メモリ（再送用データ保存部）１０３、ビット毎の第２レートマッチング部１０４、シンボル毎のグループ化部１０５及び送信アンテナ＃１，＃２毎の変調部１０７を有して成る送信ブロックを送信ストリーム毎に設けて、当該送信ブロック毎に独立して、送信アンテナの伝搬品質（例えば、ＣＱＩ値等の受信機からのフィードバック信号）に基づき伝送レートを制御する場合でも同じである。つまり、図１３に示す送信機と同様に、レペテション処理、再送制御における繰り返しビットや再送ビットの組み合わせに制限（決まり）がないため、図１５に示すごとく、繰り返しビットあるいは再送ビット（ｂ１）は、時刻Ｔ１と時刻Ｔ２とで、異なるビット（ｂ２，ｂ３）との組み合わせで各送信アンテナ＃１，＃２から同時刻に送信されることになる。
【０００９】
このように、繰り返しビットや再送ビットと同時刻に送信されるビットが時刻によって異なるビットとの組み合わせで送信される場合、受信機では、上述のごとく同時刻に送信された信号をビット毎に分離した上で、レペテション合成処理や再送合成処理を行なう。
例えば図１６に模式的に示すように、送信アンテナ＃１と受信アンテナとの間の伝搬係数をα、送信アンテナ＃２と受信アンテナとの間の伝搬係数をβとし、時刻Ｔ１において、送信アンテナ＃１からはビットｂ１が、送信アンテナ＃２からはビットｂ２がそれぞれ送信されたとすると、受信アンテナでは、α×ｂ１＋β×ｂ２が受信信号として受信されることになる。そして、その後の時刻Ｔ２において、送信アンテナ＃１からはビットｂ３が、送信アンテナ＃２からは繰り返し（あるいは再送）ビットｂ１がそれぞれ送信されたとすると、前記受信アンテナでは、α×ｂ３＋β×ｂ１が受信信号として受信されることになる。
【００１０】
この場合、受信機では、図１７に示すように、時刻Ｔ１で受信された受信信号α×ｂ１＋β×ｂ２からビットｂ１を分離、抽出し、時刻Ｔ２で受信された受信信号α×ｂ３＋β×ｂ１からビットｂ１を分離、抽出して、合成処理を行なうことになる。
なお、後記特許文献１及び２には、単一の送信アンテナを具備する送信機において、シンボル単位でインターリーブ、レペテション等を行なう技術が開示されている。これらの特許文献１及び２の技術は、いずれも、任意の符号化率の畳込み符号を、どんな多値変調方式で伝送しても軟判定ビタビ復号ができるようにして、誤り率を下げることを目的とした技術である。
【００１１】
そのために、特許文献１及び２の技術では、送信側において、入力情報系列を、畳込み符号器で畳込み符号化した後、多値変調のシンボルに構成し、サブシンボルインタリーバにより、サブシンボル単位でインターリーブを行ない、直交変調して送信する。受信側では、受信したデータを同期検波し、サブシンボルデインタリーバにより、振幅データとともにサブシンボル単位でデインターリーブする。そして、軟判定ビタビ復号器で、符号語のビット数とサブシンボルのビット数の最小公倍数を処理単位ビット数として、複数符号語に対応する状態遷移をまとめて、サブシンボルの振幅情報を使って軟判定ビタビ復号する。これにより、畳込み符号の符号化率と多値変調のシンボルの最適な組み合わせを選択して軟判定ビタビ復号ができ、伝送誤り率を極限まで低くすることが可能となる。
【特許文献１】特開平６−２５２９７１号公報
【特許文献２】特開２００４−２８９３５３号公報
【発明の開示】
【発明が解決しようとする課題】
【００１２】
しかしながら、図１７により上述したごとく異なる時刻に受信された受信信号からそれぞれビットｂ１を分離、抽出して合成しようとすると、当該分離によりビット間の相関情報が消失してしまい、受信特性を劣化させてしまう。
即ち、図１８に示すように、時刻Ｔ１で送信された信号がビットｂ１とｂ２の組み合わせからなり、時刻Ｔ２で送信された信号がビットｂ１とｂ３の組み合わせからなり、各ビットが１か−１の値をとり、伝搬係数α＝β＝１で、受信信号ｂ１＋ｂ２が０となり、雑音が無いと過程した場合、時刻Ｔ１に送信された信号としては（ｂ１，ｂ２）＝（１，１）、（−１，−１）の組み合わせはとることは無く、（ｂ１，ｂ２）＝（−１，１）と（ｂ１，ｂ２）＝（１，−１）の確率がそれぞれ０．５となる。
【００１３】
したがって、この信号からビットｂ１を抽出した場合、１となる確率も−１となる確率も同じ０．５となり、組み合わせに関する情報（ビット間の相関情報）は消失してしまい、ビットｂ１の分離、抽出を誤ってしまう。時刻Ｔ２に送信された信号（ｂ１，ｂ３）についても同様である。その結果、ビットｂ１の合成を正しく行なうことができず、受信特性が劣化するのである。
【００１４】
本発明は、このような課題に鑑み創案されたもので、上記のようなビット間の相関情報の喪失による受信特性の劣化を抑制できるようにすることを目的とする。
【課題を解決するための手段】
【００１５】
上記の目的を達成するために、本発明では、下記の通信システム及び通信方法並びに送信機及び受信機を用いることを特徴としている。即ち、
（１）本発明の通信システムは、複数の送信アンテナと、前記複数の送信アンテナの一部又は全部から同時刻に送信すべきデータビットの組み合わせを１グループとして送信データストリームをグループ化する同時送信ビットグループ化手段と、該同時送信ビットグループ化手段によりグループ化されたビット組み合わせ単位で、ビット繰り返し処理及び再送処理の少なくともいずれかを含む送信処理を行なう送信処理手段とを具備する送信機と、該送信機の前記送信アンテナから送信された信号を受信するための複数の受信アンテナと、該受信アンテナで受信された受信信号について前記グループ毎の尤度を求める尤度算出手段と、該尤度算出手段で求められた尤度を合成することにより前記グループ単位でのビット繰り返し合成処理及び再送合成処理の少なくともいずれかを含む受信処理を行なう受信処理手段とを具備する受信機とをそなえて構成されたことを特徴としている。
【００１６】
（２）また、本発明の通信方法は、複数の送信アンテナを有する送信機と、複数の受信アンテナを有する受信機とをそなえた通信システムにおいて、該送信機が、前記複数の送信アンテナの一部又は全部から同時刻に送信すべきデータビットの組み合わせを１グループとして送信データストリームをグループ化し、そのグループ化したビット組み合わせ単位で、ビット繰り返し処理及び再送処理の少なくともいずれかを含む送信処理を行ない、該受信機が、該受信アンテナで受信された受信信号について前記グループ毎の尤度を求め、求められた尤度を合成することにより前記グループ単位でのビット繰り返し合成処理及び再送合成処理の少なくともいずれかを含む受信処理を行なうことを特徴としている。
【００１７】
（３）さらに、本発明の送信機は、複数の送信アンテナと、前記複数の送信アンテナの一部又は全部から同時刻に送信すべきデータビットの組み合わせを１グループとして送信データストリームをグループ化する同時送信ビットグループ化手段と、該同時送信ビットグループ化手段によりグループ化されたビット組み合わせ単位で、ビット繰り返し処理及び再送処理の少なくともいずれかを含む送信処理を行なう送信処理手段とをそなえたことを特徴としている。
【００１８】
（４）ここで、該同時送信ビットグループ化手段は、前記送信データストリームの複数ビットで１シンボルを送信する際の当該シンボル内の信頼度の高低に応じたビット集合を前記グループとしてグループ化するように構成されていてもよい。
（５）また、本発明の受信機は、複数の送信アンテナの一部又は全部から同時刻に送信すべきデータビットの組み合わせを１グループとして送信データストリームをグループ化した上で、当該グループ化されたビット組み合わせ単位で、ビット繰り返し処理及び再送処理の少なくともいずれかを含む送信処理を行なう送信機から送信された信号を受信する受信機であって、前記信号を受信するための複数の受信アンテナと、該受信アンテナで受信された受信信号について前記グループ毎の尤度を求める尤度算出手段と、該尤度算出手段で求められた尤度を合成することにより前記グループ単位でのビット繰り返し合成処理及び再送合成処理の少なくともいずれかを含む受信処理を行なう受信処理手段とをそなえたことを特徴としている。
【発明の効果】
【００１９】
上記本発明によれば、少なくとも下記のいずれかの効果ないし利点が得られる。
（１）送信側において、レートマッチングのためのビット繰り返しや、再送時に同時送信するビットの組み合わせ（グループ）を、それ以前に既に同時送信したビットの組み合わせと同じにすることができるので、受信側で、そのグループ単位で受信処理（尤度合成）を行なうことで、同時送信するビットの組み合わせを任意とし個々のビットを抽出して合成する場合のビット間の相関情報の消失を回避することができる。したがって、受信特性の劣化を防止することが可能となる。
【００２０】
（２）また、送信データストリームの複数ビットで１シンボルを送信する際の当該シンボル内の信頼度の高低に応じたビット集合を前記グループとしてグループ化すれば、ビット加算処理を用いてグループ別に独立して尤度算出を行なうことができるので、受信側での尤度算出のための演算量を削減することができ、処理の高速化を図ることが可能である。
【発明を実施するための最良の形態】
【００２１】
以下、本発明の実施の形態について、図面を参照しながら説明する。ただし、本発明は以下に示す実施形態に限定されず、当業者であれば本発明の趣旨を逸脱しない範囲で種々変形して実施できることはいうまでもない。
〔Ａ〕概要説明
ビット間の相関情報の消失という既述の課題を解決するためには、レペテション（ビット繰り返し）又は再送時に同時送信するビットの組み合わせ（グループ）を、それ以前に既に同時送信したビットの組み合わせと同じにして、受信側では、この単位で合成を行なえば良い。例えば図１に模式的に示すように、時刻Ｔ１に同時送信したビットの組み合わせ（グループ）が（ｂ１，ｂ２）であれば、その後のビットｂ１についてのレペテション又は再送時（時刻Ｔ２）に同時送信すべきビットの組み合わせも同じ組み合わせ（ｂ１，ｂ２）とし、受信側では当該組み合わせ（グループ）単位で合成を行なえば良いのである。なお、同時送信するビット数が３ビット以上の場合も同様であり、ビットｂｉ（ｉ＝１，２，３，…）は１か−１（あるいは、１か０）の値をとる。
【００２２】
以下、このような送信時刻単位のグループ化送信及び合成処理を実現するＭＩＭＯ送信機及びＭＩＭＯ受信機の例について説明する。
〔Ｂ〕一実施形態の説明
（Ｂ１）送信機の説明
図２は本発明の一実施形態に係るＭＩＭＯ送信機の要部の構成を示すブロック図で、この図１に示すＭＩＭＯ送信機（以下、単に「送信機」ともいう）は、例えば、誤り訂正符号化部１１、グループ化部１２、第１レートマッチング部１３、メモリ（再送用データ保存部）１４、第２レートマッチング部１５、アンテナ分離部１６及び複数の送信アンテナ毎の変調部１７をそなえて構成されている。なお、本例において、送信アンテナは送信アンテナ＃１〜＃Ｎ（Ｎは２以上の整数）と仮定し、図１では２本の送信アンテナ＃１，＃２の存在のみを図示している。
【００２３】
ここで、誤り訂正符号化部１１は、送信すべきデータ（送信ストリーム）をターボ符号や畳み込み符号などに誤り訂正符号化するものであり、グループ化部（同時送信ビットグループ化手段）１２は、この誤り訂正符号化部１１からの符号化ビット列を、送信すべき送信アンテナ＃ｊ（ｊ＝１〜Ｎ）別に振り分けた上で、同時刻に送信すべきデータビット数ｎ（＞２）単位でグループ分けするもので、例えば、入力符号化ビット列を１：ｎシリアル／パラレル（Ｓ／Ｐ）変換したｎパラレルのデータビットが１グループとなる。なお、同時送信すべきデータビットのグループ化は、以降の実施形態においても、同様のＳ／Ｐ変換により実現することができる。
【００２４】
第１レートマッチング部１３は、上記グループ化部１２からの符号化ビット列に対してパンクチャやレペテション等のレートマッチング処理を施すことにより当該符号化ビット列をメモリ１４の所定のメモリ領域に収まるデータ量となるようにデータ量調整するものであるが、本例では、前記ｎパラレルデータに対して同じビット数のパンクチャ又はレペテションを平等に施すことにより、前記グループ単位でレートマッチング処理を実施するようになっている。
【００２５】
メモリ１４は、ＨＡＲＱ等に基づく再送に備えて、上記レートマッチング後の符号ビット列（ｎパラレルデータ）を前記所定のメモリ領域に記憶するものである。したがって、当該メモリ１４には、符号化ビット列が前記グループ単位で（ｎパラレルデータとして）記憶されることになり、その読み出しも再送時の読み出しを含めて当該グループ単位で行なわれるようになっている。
【００２６】
第２レートマッチング部１５は、上記メモリ１４から読み出された符号化ビット列に対してパンクチャやレペテション等のレートマッチング処理を施すことにより所定の送信フレームフォーマット内に収容可能なデータ量に調整するもので、この場合も、第１レートマッチング部１３と同様に、前記ｎパラレルデータに対して同じビット数のパンクチャ又はレペテションを平等に施すことにより、前記グループ単位でレートマッチング処理を実施するようになっている。
【００２７】
なお、符号化ビット列をインターリーブする場合（例えば、上記第２レートマッチング部１５によるレートマッチング後）には、当該インターリーブも前記グループ単位で行なうことになる。
アンテナ分離部１６は、上記の第２レートマッチング部１５によるレートマッチング処理後の送信ビット列（ｎパラレルデータ）を所定の変調部１７へ分離して振り分けるもので、例えば図１の例（ｎ＝２）の場合、時刻Ｔ１では２パラレルデータの一方（ビットｂ１）は送信アンテナ＃１に対応する変調部１７へ、他方のパラレルデータ（ビットｂ２）は送信アンテナ＃２に対応する変調部１７へ入力するようになっている。ただし、同じグループのビット列が同時刻に送信されれば良いので、振り分け方法（どの送信アンテナ＃ｊから送信すべきか）は任意である。つまり、同時刻に送信されるビットはそれぞれ異なる送信アンテナ＃ｊから送信されても、一部又は全部が同じ送信アンテナ＃ｊから送信されてもよい。
【００２８】
変調部１７は、それぞれ、上記アンテナ分離部１７から入力される送信ビット列を所定の変調方式（例えば、ＱＰＳＫや１６ＱＡＭ等の多値変調方式）で変調するもので、変調後の送信ビット列はＤ／Ａ変換や無線周波数（ＲＦ）信号への周波数変換（アップコンバート）等の所要の無線送信処理を施されて、最終的に、対応する送信アンテナ＃ｊから空間に向けて放射される。
【００２９】
つまり、上記の各レートマッチング部１３，１５，メモリ１４，アンテナ分離部１６及び各変調部１７から成るブロックは、グループ化部１２によりグループ化されたビット組み合わせ単位で、レートマッチング（レペテション）や再送処理、場合によってはインターリーブ処理を含む送信処理を行なう送信処理手段としての機能を果たしていることになる。
【００３０】
以上のような構成により、本例のＭＩＭＯ送信機では、送信すべきデータが、誤り訂正符号化部１１にて、ターボ符号、畳み込み符号などの誤り訂正符号化された後、グループ化部１２にて、同時刻に送信すべきビットの組み合わせにグループ化される。以降、当該ビットグループを単位として、第１及び第２レートマッチング部１３，１５でのレートマッチング（インターリーブする場合には当該インターリーブ）やメモリ１４に対する再送用のデータ保存及び読み出しがそれぞれ行なわれる。
【００３１】
そして、第２レートマッチング部１５にて送信フレームフォーマットに適するようレートマッチングされた符号化ビット列は、アンテナ分離部１６にて規定の送信アンテナ＃ｊに対応する変調器１７に振り分けられて、ＱＰＳＫや１６ＱＡＭによる変調を施されたのち、送信アンテナ＃ｊから前記グループ単位で同時送信される。
以上により、図１により前述したレペテションや再送時の同じビット組み合わせでの同時送信が実現される。なお、上記の例では、同時刻に送信するビットを全て１つのグループとしたが、複数のグループとすることもできる。その場合も、上記と同様に、グループ単位でレートマッチング等を行なえばよい。
【００３２】
（Ｂ２）送信機の変形例の説明
次に、図３は送信ストリームが複数存在し、送信ストリーム毎に伝送レートを制御する場合のＭＩＭＯ送信機の要部の構成を示すブロック図で、この図３に示すＭＩＭＯ送信機は、例えば、送信ストリーム毎に、誤り訂正符号化部１１及び第１レートマッチング部１３Ａをそなえるとともに、グループ化部１２Ａ，メモリ（再送用データ保存部）１４，第２レートマッチング部１５，アンテナ分離部１６及び送信アンテナ＃ｊ毎の変調部１７をそなえて構成されている。
【００３３】
ここで、誤り訂正符号化部１１は、それぞれ、送信すべきデータ（送信ストリーム）の伝送レートに応じた長さ（トランスポートブロックサイズ）のデータ列に対してターボ符号や畳み込み符号などに誤り訂正符号化するものである。なお、本例では、誤り訂正符号化部１１を送信ストリーム毎に設けているが、各送信ストリームに共通としてもよい。
第１レートマッチング部１３Ａは、それぞれ、対応する誤り訂正符号化部１１からの符号化ビット列に対してパンクチャやレペテション等のレートマッチング処理をビット単位で施すことにより当該符号化ビット列をメモリ１４の所定のメモリ領域に収まるデータ量となるようにデータ量調整するもので、本例では、各送信ストリームの伝送レートが適当な比率となるようにレートマッチング処理を行なうようになっている。
【００３４】
グループ化部（同時送信ビットグループ化手段）１２Ａは、上記レートマッチング後の各送信ストリームの符号化ビット列を、送信すべき送信アンテナ＃ｊ（ｊ＝１〜Ｎ）別に振り分けた上で、同時刻に送信すべきデータビット数ｎ単位でグループ分けするもので、例えば、各送信ストリーム全体の入力符号化ビット列を１：ｎシリアル／パラレル変換したｎパラレルのデータビットが１グループとなる。
【００３５】
メモリ１４は、本例においても、ＨＡＲＱ等に基づく再送に備えて、上記グループ化後の符号ビット列（ｎパラレルデータ）を前記所定のメモリ領域に上記グループ単位で（ｎパラレルデータとして）記憶するもので、その読み出しも再送時の読み出しを含めて当該グループ単位で行なわれるようになっている。
第２レートマッチング部１５は、上記メモリ１４から前記グループ単位に読み出された符号化ビット列に対してパンクチャやレペテション等のレートマッチング処理を当該グループ単位で施すことにより所定の送信フレームフォーマット内に収容可能なデータ量に調整するもので、前記ｎパラレルデータに対して同じビット数のパンクチャ又はレペテションを平等に施すことにより、前記グループ単位のレートマッチング処理を実施するようになっている。
【００３６】
なお、符号化ビット列をインターリーブする場合（例えば、上記第２レートマッチング部１５によるレートマッチング後）は、当該インターリーブも前記グループ単位で行なうことになる。
アンテナ分離部１６は、上記の第２レートマッチング部１５によるレートマッチング処理後の送信ビット列（ｎパラレルデータ）を所定の変調部１７へ分離して振り分けるもので、例えば図４の例（ｎ＝３）の場合、時刻Ｔ１では３パラレルデータの一部（送信ストリーム＃１のビットｂ１）は送信アンテナ＃１に対応する変調部１７へ、残りのパラレルデータ（送信ストリーム＃２のビットｂ２，ｂ３）は送信アンテナ＃２に対応する変調部１７へ入力するようになっている。ただし、本例においても、同じグループのビット列が同時刻に送信されれば良いので、振り分け方法（どの送信アンテナ＃ｊから送信すべきか）は任意である。つまり、同時刻に送信されるビットはそれぞれ異なる送信アンテナ＃ｊから送信されても、一部又は全部が同じ送信アンテナ＃ｊから送信されてもよい。
【００３７】
変調部１７は、それぞれ、既述のものと同一若しくは同様のものである。
つまり、本例では、上記のメモリ１４，レートマッチング部１５，アンテナ分離部１６及び各変調部１７から成るブロックは、グループ化部１２Ａによりグループ化されたビット組み合わせ単位で、レートマッチング（レペテション）や再送処理、場合によってはインターリーブ処理を含む送信処理を行なう送信処理手段としての機能を果たしていることになる。
【００３８】
なお、上記の各送信ストリームは、送信アンテナ＃ｊの伝搬品質（例えば、ＣＱＩ値等の受信機からのフィードバック信号）に基づき、トランスポートブロックサイズや第１レートマッチング部１３Ａでのレートマッチング処理、グループ化部１２Ａでのグループ化処理、第２レートマッチング部１５でのレートマッチング処理が図示しない制御部によって制御されることで、それぞれの伝送レートが独立して制御できるようになっている。
【００３９】
以上のような構成により、本例のＭＩＭＯ送信機では、送信すべきデータが、送信ストリーム別に、誤り訂正符号化部１１にて、ターボ符号、畳み込み符号などの誤り訂正符号化され、第１レートマッチング部１３Ａにて、各送信ストリームの伝送レートを適当な比率にするレートマッチング処理（パンクチャ又はレペテション）がそれぞれ個別に行なわれた後、グループ化部１２Ａにて、各送信アンテナ＃ｊから同時刻に送信すべきビットの組み合わせ（ビットグループ）が決定される。
【００４０】
例えば図４の例の場合であれば、ビットｂ１，ｂ２，ｂ３の組が１グループとして決定され、以降の処理は当該グループ単位で行なわれる。即ち、当該グループを単位として、メモリ１４に対する再送用のデータ保存及び読み出しや、第２レートマッチング部１５でのレートマッチング（インターリーブする場合には当該インターリーブ）がそれぞれ行なわれる。
【００４１】
そして、第２レートマッチング部１５にて送信フレームフォーマットに適するよう前記グループ単位でレートマッチングされた符号化ビット列は、アンテナ分離部１６にて規定の送信アンテナ＃ｊに対応する変調器１７に振り分けられて、ＱＰＳＫや１６ＱＡＭによる変調を施されたのち、送信アンテナ＃ｊから前記グループ単位で同時送信される。
以上により、図４に示すようなレペテションや再送時の同じビット組み合わせでの同時送信が実現される。なお、本例においても、同時刻に送信するビットを全て１つのグループとしたが、複数のグループとすることもできる。その場合も、上記と同様に、グループ単位でレートマッチング等を行なえばよい。
【００４２】
（Ｂ３）受信機の説明
上記項目（Ｂ１）及び（Ｂ２）にて上述したように、送信機にて、同時刻に送信するビットをグループ化した場合、受信側（ＭＩＭＯ受信機）では当該グループ（ビット組み合わせ）毎の確率〔または、対数（log）尤度〕を求め、レペテション合成や再送合成を、このグループ毎の確率の積（または、対数尤度の和）で行なうことにより、従来の課題、即ち、ビット間の相関情報の喪失による受信特性の劣化を抑制することが可能となる。
【００４３】
図５は本実施形態におけるＭＩＭＯ受信機の要部の構成を示すブロック図で、この図５に示すＭＩＭＯ受信機（以下、単に「受信機」ともいう）は、例えば、複数の受信アンテナ２１と、チャネル推定部２２と、復調部２３と、第１デレートマッチング部２４と、再送合成部２５と、第２デレートマッチング部２６と、誤り訂正復号部２７とをそなえて構成されている。
【００４４】
ここで、受信アンテナ２１は、図２又は図３により上述した送信機から送信された信号を受信するものであり、チャネル推定部２２は、受信アンテナ２１でそれぞれ受信された信号と、送信機との間で既知の信号であるパイロット信号のレプリカとの相関を演算することにより、送信機との間の伝搬路（チャネル）環境を推定する（つまり、チャネル推定値を求める）ものである。なお、本例において、受信した信号のベースバンド信号への変換（ダウンコンバート）やディジタル信号への変換などを含む所要の無線受信処理については省略している（以下、同じ）。
【００４５】
復調部２３は、上記チャネル推定部２２により得られるチャネル推定値に基づいて、受信信号〔データ（トランスポート）チャネル〕についての補償（チャネル等化）を行ない、送信機側での変調方式（ＱＰＳＫや１６ＱＡＭ等）に対応した復調方式で復調を行なうもので、本例では、前記グループ毎の尤度（確率）を算出する尤度算出部（尤度算出手段）２３１（図６参照）としての機能も具備している。
【００４６】
第１デレートマッチング部２４は、上記復調部２３による復調データについて、送信機１側の前記第２レートマッチング部１５でのレートマッチング処理とは逆の処理に相当する処理（レペテション又はパンクチャ）を施してデータ量調整を行なうもので、前記レペテションの場合には、前記グループ毎の確率を乗算（又は対数尤度を加算）するようになっている。
【００４７】
再送合成部２５は、ＨＡＲＱ等に基づく前記送信機への再送要求に対して当該送信機から再送されてきた信号について、既に受信され保持している信号との合成（再送合成）を行なうもので、その際、前記グループ毎の尤度を加算するようになっている。
第２デレートマッチング部２６は、上記再送合成部２５の出力信号について、送信機側の前記第１レートマッチング部１３（又は１３Ａ）でのレートマッチング処理とは逆の処理に相当する処理（レペテション又はパンクチャ）を施してデータ量調整を行なうもので、この場合も、レペテションの場合には、前記グループ毎の確率を乗算（又は対数尤度を加算）するようになっている。
【００４８】
つまり、上記の各デレートマッチング部２４，２６及び再送合成部２５から成るブロックは、尤度算出部２３１で求められた尤度を合成（確率乗算又は対数尤度加算）することにより前記グループ単位でのレペテション合成や再送合成（場合によってはデインターリーブ）を含む受信処理を行なう受信処理手段としての機能を果たしている。
そして、誤り訂正復号部２７は、上記第２デレートマッチング部２６によるデータ量調整後の受信信号について、送信機側の誤り訂正符号化部１１での符号化方式に対応した復号方式での誤り訂正復号を行なって、送信機の送信データを復元するものである。
【００４９】
以下、上述のごとく構成された本例の受信機の動作について、図６及び図７を併用して説明する。
まず、送信機から既述のようにしてグループ化されて各送信アンテナ１８（＃ｊ）（図６参照）から送信された信号は、受信機の受信アンテナ２１で受信され、前記所要の無線受信処理を経た後、チャネル推定部２２に入力され、当該チャネル推定部２２にて、前記チャネル推定値が求められ、当該チャネル推定値に基づいて、復調部２３にてチャネル等化、復調処理が施される。その際、図６に示すように、尤度算出部２３１により、前記グループ毎の尤度（確率）が算出される。即ち、例えば、ｎ（＝２）ビットを送信機から同時に送信したとすると、ビットの組み合わせは２n＝２2＝４、つまり、（１，１），（１，−１），（−１，１），（−１，−１）の４通りになるので、ある時刻に対するビットの組み合わせの確率をそれぞれｑ00，ｑ01，ｑ10，ｑ11（以下、区別しない場合は単に「ｑ」と表記する）、また別の時刻の確率をそれぞれｒ00，ｒ01，ｒ10，ｒ11（同様に、区別しない場合は単に「ｒ」と表記する）として求める。
【００５０】
その後、復調データは、第１デレートマッチング部２４にて、パンクチャ又はレペテションを施されてデータ量調整されるが、レペテションを行なう際に、図７に模式的に示すように、前記異なる時刻の確率ｑ00，ｑ01，ｑ10，ｑ11及び確率ｒ00，ｒ01，ｒ10，ｒ11を合成する。即ち、合成確率として、それぞれの確率の積ｑ00ｒ00，ｑ01ｒ01，ｑ10ｒ10，ｑ11ｒ11を求める。
【００５１】
上記第１デレートマッチング部２４によるデータ量調整後のデータは、次に、再送要求に対する再送データであれば、再送合成部２５にて、受信済みのデータと再送合成される。その際も、図７の例と同様に、２n通りの合成確率ｑｒが求められる。なお、受信データが再送データでなければ、当該再送合成は施されず、第２デレートマッチング部２６へ出力される。
【００５２】
さらに、上記再送合成部２５の出力は、第２デレートマッチング部２６にて、パンクチャ又はレペテションを施されてデータ量調整されるが、ここでも、レペテションの際には、図７の例と同様に、２n通りの合成確率ｑｒが求められる。
そして、当該データ量調整後の受信データは、誤り訂正復号部２７にて誤り訂正復号されて、送信機が送信した送信データが復元される。
【００５３】
なお、上記の例では、尤度算出部２３１にてグループ毎の確率を算出し、その合成を行なっているが、例えば図８に模式的に示すように、尤度算出部２３１にて、ある時刻に対するビットの組み合わせ〔（１，１），（１、−１），（−１，１），（−１，−１）〕の対数尤度をそれぞれlq00，lq01，lq10，lq11（以下、区別しない場合は単に「lq」と表記する）、また別の時刻の対数尤度をそれぞれlr00，lr01，lr10，lr11として、第１及び第２デレートマッチング部２４及び２６でのレペテションあるいは再送合成部２５での再送合成の際に、これらの異なる受信時刻の対数尤度lq，lrを加算（lq＋lr）するようにしても、図７の例と同等の結果を得ることができる。
【００５４】
以上のように、本実施形態の受信機では、同時送信されたｎビットのビットグループを単位としてレペテションまたは再送合成する際に、異なる受信時刻のｎビットからなる受信信号について、それぞれのビット組み合わせをとる確率又は対数尤度を求め、それらの乗算又は加算で尤度合成を行なうので、ビット間の相関情報の喪失による受信特性の劣化を抑制することが可能となる。
【００５５】
例えば図１２にＭＩＭＯ通信方式のスループット特性を上述した実施形態と従来技術とを比較して示す。この図１２において、実線５１が従来通りビット単位でレートマッチングを行なった場合の特性、実線５２が同時送信ビット単位でレートマッチングを行ない受信側ではビット毎に処理（分離、復調）した場合の特性、実線５３が同時送信ビット単位でレートマッチングを行ない受信側もグループ単位で処理（尤度合成、復調）した場合の特性をそれぞれ示している。なお、シミュレーション条件は、送信アンテナ数＝２、受信アンテナ数＝１（つまり、２×１ＭＩＭＯ）、符号化レート＝１／６、変調方式＝１６ＱＡＭ、最大再送回数＝３、フェージング１パスfdTfrm（最大ドップラ周波数×１フレーム時間）＝０．１６、１フレームあたりの情報ビット数＝６５０である。
【００５６】
この図１２から理解されるように、送信機において項目（Ｂ１）又は（Ｂ２）で述べたグループ化を行ない、受信機において項目（Ｂ３）で述べた受信処理（尤度合成、復調）を行なうことにより（実線５３参照）、従来技術（実線５１参照）に比して２０〜３０%のスループット特性改善効果を得ることができる。
〔Ｃ〕第１変形例の説明
項目（Ｂ１）及び（Ｂ２）で述べたように同時送信するビットをグループ化する場合、前記グループ化部１２又は１２Ａでは、各送信アンテナ＃ｊのシンボル内の信頼度の高低に応じたビットの集合を単位とすることができる。
【００５７】
例えば、図９の（２）に示すように、１６ＱＡＭ（つまり、４ビットで１シンボルを送信する場合）で２本の送信アンテナ１８（＃１，＃２）でＭＩＭＯ送信し、２本の受信アンテナ２１でＭＩＭＯ受信する（つまり、２×２ＭＩＭＯ通信する）場合、図９の（１）に示すように、１６ＱＡＭ（１シンボルを３ビットで送信する場合）のＩチャネル及びＱチャネルの最下位ビット（ＬＳＢ）よりも最上位ビット（ＭＳＢ）の方が信頼度が高いので、前記グループ分けとして、同図９の（３）に示すように、グループ＃１を各送信アンテナ１８のＩチャネル及びＱチャネルのＭＳＢからなる４ビット（I-ch_MSB_ANT#1，Q-ch_MSB_ANT#1，I-ch_MSB_ANT#2，Q-ch_MSB_ANT#2）とし、同図９の（４）に示すように、前記グループ＃１と同時刻に送信する別のグループ＃２を各送信アンテナ１８のＩチャネル及びＱチャネルのＬＳＢからなる４ビット（I-ch_LSB_ANT#1，Q-ch_LSB_ANT#1，I-ch_LSB_ANT#2，Q-ch_LSB_ANT#2）とすることができる。
【００５８】
このようなグループ分けを行なうと、ＭＳＢのグループ＃１とＬＳＢのグループ＃２とで独立した尤度算出を行なうことが可能となるので、尤度算出部２３１で求めるべき尤度の数、つまりは尤度算出の演算量を削減することができ、処理の高速化を図ることができる。
即ち、１６ＱＡＭで２×２ＭＩＭＯ通信する場合、グループ＃１の４ビット（I-ch_MSB_ANT#1，Q-ch_MSB_ANT#1，I-ch_MSB_ANT#2，Q-ch_MSB_ANT#2）をそれぞれIM1，QM1，IM2，QM2と表記し、グループ＃２の４ビット（I-ch_LSB_ANT#1，Q-ch_LSB_ANT#1，I-ch_LSB_ANT#2，Q-ch_LSB_ANT#2）をそれぞれQM2，IL1，QL1，IL2，QL2と表記することとすると、図１０に示すように、本来、尤度算出は、合計８ビット、つまり、２8（＝２５６）通りの各ビットが０又は１をとるデータパターンの確率Ｐ（IM1，QM1，IM2，QM2，IL1，QL1，IL2，QL2）を算出する必要がある（符号４１参照）。
【００５９】
しかし、上記グループ＃１及び＃２のグループ分けにより、グループ＃１の確率Ｐ（IM1，QM1，IM2，QM2）は、下記の式（１）により、ＬＳＢについての個々のビット（IL1，QL1，IL2，QL2）を同じＭＳＢのデータパターン毎に加算することで算出でき（符号４２参照）、グループ＃２についての確率Ｐ（IM1，QM1，IM2，QM2）は、下記の式（２）により、ＭＳＢ（IM1，QM1，IM2，QM2）の個々のビットを同じＬＳＢのデータパターン毎に加算することで算出することができる（符号４３参照）。
【００６０】
【数１】
2008028750.tif 000003
【００６１】
このようにして、ビット加算処理を用いてグループ＃１，＃２毎に独立して尤度（確率Ｐ）算出を行ない、それぞれを対数尤度に変換して（図１０の符号４４，４５参照）加算することで、グループ分けしないで尤度算出を行なう場合に比して、演算量を削減することができるのである。
〔Ｄ〕第２変形例の説明
ＭＩＭＯ通信方式において、伝搬路の状態を知ることが可能であれば、固有モード使うことで、送信ストリーム間の相関を無くすことが可能なことが知られている。即ち、伝搬行列Ｈが既知であれば、ユニタリ行列Ｕ，Ｖを用いて、下記式（３）により、伝搬行列Ｈを対角行列Ｄとする変換（変数変換）が可能である。
【００６２】
Ｄ＝Ｕ†ＨＶ      …（３）
したがって、送信側で各送信ストリームをユニタリ行列Ｖで予め変換して送信し、受信側でユニタリ行列Ｕの共役転置行列Ｕ†で変換することで、対角行列Ｄとなり、送信ストリーム間の相関を無くすことができる（つまり、受信側では各ストリームの信号分離が容易になる）。
【００６３】
この性質を利用して、前記グループ化部１２又は１２Ａでは、一部の送信ストリームは固有モードを使って相関を無くし、それ以外の送信ストリーム間の一部又は全部を既述のようにしてグループ化することができる。
例えば図１１に示すように、４本の送信アンテナ１８を有するＭＩＭＯ送信機と、４本の受信アンテナ２１を有するＭＩＭＯ受信機とを有するシステム（４×４ＭＩＭＯシステム）の場合、送信機では、各送信ストリーム＃１，＃２，＃３，＃４に対して送信側ユニタリ変換部１９にてユニタリ行列Ｖを乗算することによりユニタリ変換を行なった上で送信を行ない、受信機では、その送信データが伝搬路を伝搬することにより伝搬行列Ｈが生じられた形の受信信号について受信側ユニタリ変換部２８にてユニタリ行列Ｕの共役転置行列Ｕ†を乗算することにより、送信ストリーム＃１，＃２と送信ストリーム＃３，＃４との間の相関を無くすことができる。
【００６４】
そこで、送信機（グループ化部１２又は１２Ａ）では、送信ストリーム＃１及び＃２の組と、送信ストリーム＃３及び＃４の組にそれぞれグループ化〔つまり、４送信（多値変調）シンボルの一部の２送信シンボルを無相関のシンボルグループとする〕した上で、当該グループ単位で前記項目（Ｂ１）及び（Ｂ２）で述べたようにレペテション又は再送時の同時送信を行ない、受信機では、項目（Ｂ３）にて述べたようにして受信（尤度算出及び合成）する。即ち、送信ストリーム＃１及び＃２の組について、尤度算出部２３１−１にて尤度（確率又は対数尤度）を計算して、組み合わせ尤度（乗算又は加算）を求めるとともに、送信ストリーム＃３及び＃４の組について、尤度算出部２３１−２にて尤度（確率又は対数尤度）を計算して、組み合わせ尤度（乗算又は加算）を求める。
【００６５】
このように、ＭＩＭＯ固有モードを利用して、相関の無い送信ストリームを作り出すことで、相関の無い送信ストリーム同士独立して尤度算出を行なうことが可能となるので、尤度算出の演算量を削減して、処理の高速化を図ることが可能となる。
なお、ＭＩＭＯ固有モードで、すべての送信ストリーム間の相関を完全に無くした上で、各送信ストリームの多値変調シンボル内のビットをグループ化する（例えば図９及び図１０により前述したＭＳＢ及びＬＳＢによるグループ化も適用できる）ようにしてもよい。
【００６６】
〔Ｅ〕付記
（付記１）
複数の送信アンテナと、前記複数の送信アンテナの一部又は全部から同時刻に送信すべきデータビットの組み合わせを１グループとして送信データストリームをグループ化する同時送信ビットグループ化手段と、該同時送信ビットグループ化手段によりグループ化されたビット組み合わせ単位で、ビット繰り返し処理及び再送処理の少なくともいずれかを含む送信処理を行なう送信処理手段とを具備する送信機と、
該送信機の前記送信アンテナから送信された信号を受信するための複数の受信アンテナと、該受信アンテナで受信された受信信号について前記グループ毎の尤度を求める尤度算出手段と、該尤度算出手段で求められた尤度を合成することにより前記グループ単位でのビット繰り返し合成処理及び再送合成処理の少なくともいずれかを含む受信処理を行なう受信処理手段とを具備する受信機とをそなえて構成されたことを特徴とする、通信システム。
【００６７】
（付記２）
複数の送信アンテナを有する送信機と、複数の受信アンテナを有する受信機とをそなえた通信システムにおいて、
該送信機が、
前記複数の送信アンテナの一部又は全部から同時刻に送信すべきデータビットの組み合わせを１グループとして送信データストリームをグループ化し、
そのグループ化したビット組み合わせ単位で、レートマッチングのためのビット繰り返し処理、再送処理及びインターリーブ処理の少なくともいずれかを含む送信処理を行ない、
該受信機が、
該受信アンテナで受信された受信信号について前記グループ毎の尤度を求め、
求められた尤度を合成することにより前記グループ単位でのビット繰り返し合成処理及び再送合成処理の少なくともいずれかを含む受信処理を行なうことを特徴とする、通信方法。
【００６８】
（付記３）
複数の送信アンテナと、
前記複数の送信アンテナの一部又は全部から同時刻に送信すべきデータビットの組み合わせを１グループとして送信データストリームをグループ化する同時送信ビットグループ化手段と、
該同時送信ビットグループ化手段によりグループ化されたビット組み合わせ単位で、ビット繰り返し処理及び再送処理の少なくともいずれかを含む送信処理を行なう送信処理手段とをそなえたことを特徴とする、送信機。
【００６９】
（付記４）
該同時送信ビットグループ化手段が、
前記送信データストリームを同時刻に送信すべきビット数にシリアル／パラレル変換することにより前記グループ化を行なうように構成されたことを特徴とする、付記３記載の送信機。
【００７０】
（付記５）
該同時送信ビットグループ化手段が、
伝送レートを独立して制御される、複数の前記送信データストリームについて前記グループ化を行なうように構成されたことを特徴とする、付記３記載の送信機。
（付記６）
該同時送信ビットグループ化手段が、
前記送信データストリームの複数ビットで１シンボルを送信する際の当該シンボル内の信頼度の高低に応じたビット集合を前記グループとしてグループ化するように構成されたことを特徴とする、付記３記載の送信機。
【００７１】
（付記７）
該同時送信ビットグループ化手段が、
複数の前記送信ストリームの少なくとも一部の送信ストリーム間の相関を予め無相関に変数変換して送信を行なう際に、残りの送信ストリームのデータビットの一部又は全部を前記グループとしてグループ化するように構成されたことを特徴とする、付記３記載の送信機。
【００７２】
（付記８）
複数の送信アンテナの一部又は全部から同時刻に送信すべきデータビットの組み合わせを１グループとして送信データストリームをグループ化した上で、当該グループ化されたビット組み合わせ単位で、ビット繰り返し処理及び再送処理の少なくともいずれかを含む送信処理を行なう送信機から送信された信号を受信する受信機であって、
前記信号を受信するための複数の受信アンテナと、
該受信アンテナで受信された受信信号について前記グループ毎の尤度を求める尤度算出手段と、
該尤度算出手段で求められた尤度を合成することにより前記グループ単位でのビット繰り返し合成処理及び再送合成処理の少なくともいずれかを含む受信処理を行なう受信処理手段とをそなえたことを特徴とする、受信機。
【産業上の利用可能性】
【００７３】
以上詳述したように、本発明によれば、同時送信するビットの組み合わせ（グループ）を、それ以前に既に同時送信したビットの組み合わせと同じにし、受信側で、そのグループ単位で受信処理（尤度合成）を行なうことで、ビット間の相関情報の消失を回避して受信特性の劣化を防止することができるので、無線通信技術分野に極めて有用と考えられる。
【図面の簡単な説明】
【００７４】
【図１】本発明の概要を説明すべく異なる時刻に同時送信するビット組み合わせの例を示す模式図である。
【図２】本発明の一実施形態に係るＭＩＭＯ送信機の要部の構成を示すブロック図である。
【図３】図２に示すＭＩＭＯ送信機の変形例を示すブロック図である。
【図４】図２に示すＭＩＭＯ送信機の動作を説明すべく異なる時刻に同時送信するビット組み合わせの例を示す模式図である。
【図５】本発明の一実施形態に係るるＭＩＭＯ受信機の要部の構成を示すブロック図である。
【図６】図５に示すＭＩＭＯ受信機の動作（尤度算出処理）を説明すべく２×２ＭＩＭＯ通信システムを模式的に示す図である。
【図７】図５に示すＭＩＭＯ受信機の尤度算出処理を説明するための図である。
【図８】図５に示すＭＩＭＯ受信機の尤度算出処理の変形例を説明するための図である。
【図９】本発明の第１変形例に係るＭＩＭＯ送信機でのビットグループ分けを説明するための図である。
【図１０】第１変形例に係るＭＩＭＯ受信機での尤度算出処理を説明するための図である。
【図１１】本発明の第２変形例に係るＭＩＭＯ通信システム（ＭＩＭＯ送信機及びＭＩＭＯ受信機）の構成を示すブロック図である。
【図１２】ＭＩＭＯ通信方式のスループット特性を本発明の実施形態と従来技術とを比較して示す図である。
【図１３】ＭＩＭＯ通信方式を採用した送信機（ＭＩＭＯ送信機）の一例を示すブロック図である。
【図１４】ＭＩＭＯ通信方式を採用した送信機（ＭＩＭＯ送信機）の他の構成を示すブロック図である。
【図１５】図１３又は図１４に示す送信機の動作を説明すべく異なる時刻に同時送信するビット組み合わせの例を示す模式図である。
【図１６】図１５に示す同時送信ビットの受信処理を説明すべく送信アンテナと受信アンテナとの間の伝搬係数を併せて示す模式図である。
【図１７】図１６に示す伝搬係数を前提とした受信処理（レペテション又は再送の合成処理）を説明するための模式図である。
【図１８】図１７に示す受信処理による課題を説明するための模式図である。
【符号の説明】
【００７５】
１１  誤り訂正符号化部
１２，１２Ａ  グループ化部
１３，１３Ａ  第１レートマッチング部
１４  メモリ（再送用データ保存部）
１５  第２レートマッチング部
１６  アンテナ分離部
１７  変調部
１８  送信アンテナ
１９  送信側ユニタリ変換部１９
２１  受信アンテナ
２２  チャネル推定部
２３  復調部
２３１，２３１−１，２３１−２  尤度算出部
２４  第１デレートマッチング部
２５  再送合成部
２６  第２デレートマッチング部
２７  誤り訂正復号部
２８  受信側ユニタリ変換部
【図１】
2008028750.tif 000004
【図２】
2008028750.tif 000005
【図３】
2008028750.tif 000006
【図４】
2008028750.tif 000007
【図５】
2008028750.tif 000008
【図６】
2008028750.tif 000009
【図７】
2008028750.tif 000010
【図８】
2008028750.tif 000011
【図９】
2008028750.tif 000012
【図１０】
2008028750.tif 000013
【図１１】
2008028750.tif 000014
【図１２】
2008028750.tif 000015
【図１３】
2008028750.tif 000016
【図１４】
2008028750.tif 000017
【図１５】
2008028750.tif 000018
【図１６】
2008028750.tif 000019
【図１７】
2008028750.tif 000020
【図１８】
2008028750.tif 000021